(57)【要約】      （修正有）【課題】従来の農作物栽培の促進技術は、一般的に、施肥、灌水、日照、温度等を基とするものであり、この栽培は、植物の光合成を促進する観点から施されているが、光合成のメカニズムがまだ不明な点が多いため、農業研究者や農家の経験と勘に頼っているのが現状である。また一部に青色発光ダイオードの野菜への照射による成長促進等の新技術もある。しかし、理論構成と、その成果が必ずしも充分とは言えないと考えられる。【解決手段】本発明は、理論化された「磁気プロトニクス原理」に基づく生物生命活性化手段で栽培する構成としたイチゴ３等の農作物栽培促進装置で、磁気プロトニクス原理の生物体内及び体外の水に超低周波の微小交流磁界を印加し、プロトンの長距離移動を実現し、生物の細胞エネルギー物質であるアデノシン三燐酸の生成能を向上し、生物の身体及び体内外有用細菌を活性化・成長促進する構成とした農作物栽培促進装置である。【選択図】図３
2008061614.tif 000002
【特許請求の範囲】
【請求項１】
理論化された「磁気プロトニクス原理」に基づく生物生命活性化手段で栽培する構成としたイチゴ、みかん、メロン等の果物類、またスイカ、ウリ等の野菜類、又は稲、麦、とうもろこし等の穀物、シイタケ、シメジ等のキノコ類の農作物栽培促進装置であって、
この磁気プロトニクス原理とは、生物体内及び体外（環境）の水に超低周波の微小交流磁界を印加し、プロトンの長距離移動（活性化）を実現し、生物の細胞エネルギー物質であるアデノシン三燐酸（ＡＴＰ）の生成能を向上させて、生物の身体及びその体内外有用細菌を活性化・成長促進する構成としたことを特徴とする農作物栽培促進装置。
【請求項２】
請求項１の農作物栽培促進装置において、
コイルとこのコイルから０．１〜２００Ｈｚの超低周波数、振幅が０．１〜１００マイクロテスラの微小交流磁界を発生させる電圧発振器及び微小交流磁界の発生時間を設定するプログラムスイッチより構成されることを特徴とする農作物栽培促進装置。
【請求項３】
請求項２の農作物栽培促進装置において、
このコイルは、圃場、水耕システム等の露地・ハウス栽培等の畝に設置する構造、又は栽培プランター、植木鉢等の植物培地に設置する構造であることを特徴とする農作物栽培促進装置。
【請求項４】
請求項３の農作物栽培促進装置において、
このコイルは、ヘルムホルツコイルであることを特徴とする農作物栽培促進装置。
【請求項５】
請求項４の農作物栽培促進装置において、
このヘルムホルツコイルの各コイルから発生させる微小交流磁界は、周波数が異なる微小交流磁界であることを特徴とする農作物栽培促進装置。
【発明の詳細な説明】
【技術分野】
【０００１】
本発明は、本発明者によって発見され理論化された「磁気プロトニクス原理」に基づく生物生命活性化手段（技術）で設計されたイチゴ、みかん、メロン、ぶどう、なし、柿等の果物類、またトマト、スイカ、ウリ等の野菜類、又は稲、麦、とうもろこし等の穀物、シイタケ、シメジ等のキノコ類の農作物の栽培を促進する技術、とくにビタミン等の栄養物が豊富で、味覚、食感、形状等の優れた健康な秀品を、微弱なエネルギーの使用によって多量に収穫する農作物栽培促進装置（技術全般）に関する
【背景技術】
【０００２】
従来の農作物の栽培を促進する技術は、一般的に、施肥、灌水、日照、温度等の調節による方法である。これらの方法は植物の光合成を促進する観点から施されているが、光合成のメカニズムがまだ不明な点が多いため、農業研究者や農家の経験と勘に頼っている場合が多いのが現状である。
【０００３】
そして、最近の青色発光ダイオードの野菜への照射による成長促進等の新技術も見られるが、青色光スペクトルで光合成の効率が高いという計測程度の根拠であり、「なぜ青色で光合成の効率が高いのか？」等の基本的な疑問に答えられるものではない。
【０００４】
また、最近磁石をメロンの果実の茎に固定した結果、糖度が向上した例や、シイタケ栽培で菌を植え付けたクヌギ母材にフェライト磁石を楔として打ち込むと、シイタケの成長が促進された例等の、磁石を用いた数々の農作物栽培促進事例が報告されているが、すべて理論のないものであり、このため磁石を大量に購入してやみくもに田畑に配置した結果、効果が現れない等のトラブルも多い。
【０００５】
このように、従来の農作物の栽培促進に関する技術の科学的根拠は不十分である。したがって、経験と勘に頼る普遍性のないレベルのものであり、明快な科学的理論で構成されているものとは言い難い。従来技術では革新的で普遍的な農作物栽培促進技術は俄かには期しがたい。
【０００６】
そして、磁石を利用した先行文献としては、次に挙げる発明がある。
【０００７】
文献（１）は、特開昭６１−５６０３０号の「磁石による水産動植物の養殖法」であり、その概要は、水産動植物の養殖個体、又は養殖機材に磁石板を垂下し、この磁石板間に磁場を作って、動植物の生活生理活動の活性化を図り、動植物の育成を促進することを意図する。しかし、この発明は、単に水産動植物の養殖個体、又は養殖機材に磁石板を垂下した構成であって、その理論の開示もなく、前述した如く、革新的で普遍的な農作物栽培促進技術は俄かには期しがたい。
【０００８】
次に、文献（２）は、特開平３−１８３４１９号の「植物の生長促進方法」であり、その概要は、複数に変化する赤外線、低周波の交番磁気若しくは超低周波音波等の微粒子、又は静電気の全部又は一部からなる情報信号を直接又は一定の物質を介して植物に供与する構成であって、植物の奇形、異常繁殖、土壌の枯渇等の薬品漬けによる弊害の除去を図ることを意図する。しかし、この発明においても、理論化された「磁気プロトニクス原理」に基づく生物生命活性化手段で栽培する構成となっておらず、その理論の開示もなく、前述した如く、革新的で普遍的な農作物栽培促進技術は俄かには期しがたい。
【０００９】
【特許文献１】特開昭６１−５６０３０号
【特許文献２】特開平３−１８３４１９号
【発明の開示】
【発明が解決しようとする課題】
【００１０】
上記に鑑み、本発明は、「磁気プロトニクスの原理」のメカニズム理論を利用した農作物栽培促進装置である。「磁気プロトニクスの原理」とは、水分子クラスタ
2008061614.tif 000003
の地磁気等の直流磁界
2008061614.tif 000004
に対するサイクロトロン周波数
2008061614.tif 000005
の中で、特定の周波数の微小交流磁界を印加して回転するクラスタの寸法を選択的に揃えると、同寸法のクラスタは互いの磁気モーメントの吸引力で時間を）かけて集合し（水分子クラスタの自己組織化）、プロトンの長距離トランスポートのエネルギーバンドを形成する。そして、印加する微小交流磁界の振幅は、水分子ＯとＨの磁気結合係数（１マイクロテスラ以下）と同程度の１〜１０マイクロテスラを用いてサイクロトロン共振を生起させる。
【００１１】
この理論化された「磁気プロトニクス原理」に基づく生物生命活性化手段で栽培する構成を提供する。
【課題を解決するための手段】
【００１２】
請求項１の発明は、本発明者らによって確立された「磁気プロトニクス原理」によって、農作物の成長促進装置を設計するものであり、実施例で示すように、自治体農業技術研究所における一年以上にわたる栽培試験において、有効な結果を得ていることに鑑み、この「磁気プロトニクス原理」に基づく、有効な農作物栽培促進装置を提供することを意図する。
【００１３】
また請求項１の発明は、この「磁気プロトニクス原理」の中で、１）  特定の低周波数を持つ微小交流磁界を印加（当てる）ことで，特定の大きさの水分子クラスタを集合させ、プロトンがその中を大きく動き回れるようにすることで，水分子そのものを活性化させること、また２）  生物の細胞の８０％は水、血液の９０％は水で満たされている。その中で細胞のエネルギー物質の生成や消費、たんぱく質の合成や分解等の生命活動を活発にするのが水分子のプロトンの働きであること、等が、生物の栽培とって最適な理論構造となることに鑑み、この生物に最適な理論構造を採用して、プロトンの活発化を促すとともに、この活性化を介して生物の細胞の活性化を図ることを意図する。
【００１４】
さらに請求項１の発明は、この「磁気プロトニクス原理」の中で、３）  水の外から特定の周波数をもつ数ミリガウスの大きさの微小交流磁界を印加（当てる）すると、特定の大きさの水分子クラスタだけが次第に集合すること、４）  一つのクラスタ内部でしか動いていなかった陽子が、同じ大きさのクラスタが集合すると、いくつものクラスタを超えて動き回るようになり、所謂、プロトンが活発な水になること、（水分子の自己組織化）等が、生物の栽培とって最適な理論構造となることに鑑み、この生物に最適な理論構造を採用して、プロトンの活発化を促すとともに、この活性化を介して生物の細胞の活性化を図ることを意図する。
【００１５】
請求項１は、理論化された「磁気プロトニクス原理」に基づく生物生命活性化手段で栽培する構成としたイチゴ、みかん、メロン等の果物類、またスイカ、ウリ等の野菜類、又は稲、麦、とうもろこし等の穀物、シイタケ、シメジ等のキノコ類の農作物栽培促進装置であって、
この磁気プロトニクス原理とは、生物体内及び体外（環境）の水に超低周波の微小交流磁界を印加し、プロトンの長距離移動（活性化）を実現し、生物の細胞エネルギー物質であるアデノシン三燐酸（ＡＴＰ）の生成能を向上させて、生物の身体及びその体内外有用細菌を活性化・成長促進する構成としたことを特徴とする農作物栽培促進装置である。
【００１６】
請求項２の発明は、請求項１に記載の「磁気プロトニクス原理」を最大限に発揮すること、またこの「磁気プロトニクス原理」の最適な構造及び／又は装置を提供することを意図する。
【００１７】
請求項２は、請求項１の農作物栽培促進装置において、
コイルとこのコイルから０．１〜２００Ｈｚの超低周波数、振幅が０．１〜１００マイクロテスラの微小交流磁界を発生させる電圧発振器及び微小交流磁界の発生時間を設定するプログラムスイッチより構成されることを特徴とする農作物栽培促進装置である。
【００１８】
請求項３の発明は、請求項１に記載の「磁気プロトニクス原理」を最大限に発揮すること、またこの「磁気プロトニクス原理」の最適な構造及び／又は装置を利用して、実践に即した農作物栽培用の培地の構造を提案することを意図する。
【００１９】
請求項３は、請求項２の農作物栽培促進装置において、
このコイルは、圃場、水耕システム等の露地・ハウス栽培等の畝に設置する構造、又は栽培プランター、植木鉢等の植物培地に設置する構造であることを特徴とする農作物栽培促進装置である。
【００２０】
請求項４の発明は、請求項３に記載の「磁気プロトニクス原理」を最大限に発揮すること、またこの「磁気プロトニクス原理」の最適なコイルの構造を利用して、実践に即した植物栽培用の培地の構造を提案することを意図する。
【００２１】
請求項４は、請求項３の農作物栽培促進装置において、
このコイルは、ヘルムホルツコイルであることを特徴とする農作物栽培促進装置である。
【００２２】
請求項５の発明は、請求項３に記載の「磁気プロトニクス原理」を最大限に発揮すること、またこの「磁気プロトニクス原理」の最適な微小交流磁界及び／又は周波数の構造を利用して、実践に即した植物栽培用の培地の構造を提案することを意図する。
【００２３】
請求項５は、請求項４の農作物栽培促進装置において、
このヘルムホルツコイルの各コイルから発生させる微小交流磁界は、周波数が異なる微小交流磁界であることを特徴とする農作物栽培促進装置である。
【発明の効果】
【００２４】
請求項１の発明は、理論化された「磁気プロトニクス原理」に基づく生物生命活性化手段で栽培する構成としたイチゴ、みかん、メロン等の果物類、またスイカ、ウリ等の野菜類、又は稲、麦、とうもろこし等の穀物、シイタケ、シメジ等のキノコ類の農作物栽培促進装置であって、
磁気プロトニクス原理とは、生物体内及び体外（環境）の水に超低周波の微小交流磁界を印加し、プロトンの長距離移動（活性化）を実現し、生物の細胞エネルギー物質であるアデノシン三燐酸（ＡＴＰ）の生成能を向上させて、生物の身体及びその体内外有用細菌を活性化・成長促進する構成としたことを特徴とする農作物栽培促進装置である。
【００２５】
従って、請求項１は、本発明者らによって確立された「磁気プロトニクス原理」によって、農作物の成長促進装置を設計するものであり、実施例で示すように、自治体農業技術研究所における一年以上にわたる栽培試験において、有効な結果を得ていることに鑑み、この「磁気プロトニクス原理」に基づく、有効な農作物栽培促進装置を提供できる特徴がある。
【００２６】
また請求項１は、この「磁気プロトニクス原理」の中で、１）  特定の低周波数を持つ微小交流磁界を印加（当てる）ことで，特定の大きさの水分子クラスタを集合させ、プロトンがその中を大きく動き回れるようにすることで，水分子そのものを活性化させること、また２）  生物の細胞の８０％は水、血液の９０％は水で満たされている。その中で細胞のエネルギー物質の生成や消費、たんぱく質の合成や分解等の生命活動を活発にするのが水分子のプロトンの働きであること、等が、生物の栽培とって最適な理論構造となることに鑑み、この生物に最適な理論構造を採用して、プロトンの活発化を促すとともに、この活性化を介して生物の細胞の活性化が図れる特徴がある。
【００２７】
さらに請求項１は、この「磁気プロトニクス原理」の中で、３）  水の外から特定の周波数をもつ数ミリガウスの大きさの微小交流磁界を印加（当てる）すると、特定の大きさの水分子クラスタだけが次第に集合すること、４）  一つのクラスタ内部でしか動いていなかった陽子が、同じ大きさのクラスタが集合すると、いくつものクラスタを超えて動き回るようになり、所謂、プロトンが活発な水になること、（水分子の自己組織化）等が、生物の栽培とって最適な理論構造となることに鑑み、この生物に最適な理論構造を採用して、プロトンの活発化を促すとともに、この活性化を介して生物の細胞の活性化が図れる特徴を有する。
【００２８】
請求項２の発明は、請求項１の農作物栽培促進装置において、
コイルとコイルから０．１〜２００Ｈｚの超低周波数、振幅が０．１〜１００マイクロテスラの微小交流磁界を発生させる電圧発振器及び微小交流磁界の発生時間を設定するプログラムスイッチより構成されることを特徴とする農作物栽培促進装置である。
【００２９】
従って、請求項２は、請求項１に記載の「磁気プロトニクス原理」を最大限に発揮できること、またこの「磁気プロトニクス原理」の最適な構造及び／又は装置を提供できる特徴がある。
【００３０】
請求項３の発明は、請求項２の農作物栽培促進装置において、
コイルは、圃場、水耕システム等の露地・ハウス栽培等の畝に設置する構造、又は栽培プランター、植木鉢等の植物培地に設置する構造であることを特徴とする農作物栽培促進装置である。
【００３１】
従って、請求項３は、請求項１に記載の「磁気プロトニクス原理」を最大限に発揮できること、またこの「磁気プロトニクス原理」の最適な構造及び／又は装置を利用して、実践に即した農作物栽培用の培地の構造を提案できる特徴がある。
【００３２】
請求項４の発明は、請求項３の農作物栽培促進装置において、
コイルは、ヘルムホルツコイルであることを特徴とする農作物栽培促進装置である。
【００３３】
従って、請求項４は、請求項３に記載の「磁気プロトニクス原理」を最大限に発揮できること、またこの「磁気プロトニクス原理」の最適なコイルの構造を利用して、実践に即した植物栽培用の培地の構造を提案できる特徴がある。
【００３４】
請求項５の発明は、請求項４の農作物栽培促進装置において、
ヘルムホルツコイルの各コイルから発生させる微小交流磁界は、周波数が異なる微小交流磁界であることを特徴とする農作物栽培促進装置である。
【００３５】
従って、請求項５は、請求項３に記載の「磁気プロトニクス原理」を最大限に発揮できること、またこの「磁気プロトニクス原理」の最適な微小交流磁界及び／又は周波数の構造を利用して、実践に即した植物栽培用の培地の構造を提案できる特徴がある。
【発明を実施するための最良の形態】
【００３６】
以下、本発明の実施の態様（形態）を説明する。
【００３７】
最初に、本発明は、水の独創的研究に立脚しており、水分子クラスタの水素結合のエネルギー（約２０ｋＪ／ｍｏｌ）と生物細胞のエネルギー物質アデノシン三燐酸（ＡＴＰ）のエネルギー（約２０ｋＪ／ｍｏｌ）が一致すること（ＡＴＰのエネルギーに変換されること）、ミトコンドリア内膜の分子モータＡＴＰ  Ｓｙｎｔｈａｓｅではプロトン（Ｈ＋）の流れでＡＴＰの生成が促進されること、ＡＴＰを添加せずに磁化した超純水内でルシフェリン−ルシフェラーゼ蛍光発光現象が現れること（Ｍ．Ｆｕｋｕｓｈｉｍａ，Ｔ．Ｋａｔａｏｋａ，Ｎ．Ｓｕｇｉｙａｍａ，Ｋ．Ｍｏｈｒｉ，Ｍｉｌｌｉｇａｕｓｓ  Ｍａｇｎｅｔｉｃ  Ｆｉｅｌｄ  Ａｐｐｌｉｅｄ  Ｐｕｒｅ  Ｗａｔｅｒ  Ｅｘｅｒｔ  Ｆｉｒｅｆｌｙ  Ｌｕｃｉｆｅｒｉｎ−Ｌｕｃｉｆｅｒａｓｅ  Ｌｕｍｉｎｅｓｃｅｎｃｅ  ａｎｄ  Ｉｎｄｕｃｅ  Ｉｎｔｒａｃｅｌｌｕｌａｒ  Ｃａｌｃｉｕｍ  Ｅｌｅｖａｔｉｏｎ  ｏｆ  ＣＨＯ  Ｃｅｌｌｓ  Ｗｉｔｈｏｕｔ  ＡＴＰ，  ＩＥＥＥ  Ｔｒａｎｓａｃｔｉｏｎｓ  ｏｎ  Ｍａｇｎｅｔｉｃｓ，ｖｏｌ．４１，ｎｏ．１０，ｐｐ．４１８８−４１９０，２００５．）、に着目して、生物成長促進の基盤であるＡＴＰ生成能の向上は、細胞水の中のプロトンの活性化（長距離プロトントランスポート）で実現できることに着目している。
【００３８】
そして、この水中のプロトンの活性化が、水（超純水、純水、自然水）に超低周波の微小交流磁界を短時間印加したあと、数時間かけて進行していくこと（電気抵抗率の減少化；Ｋ．Ｍｏｈｒｉ，Ｍ．Ｆｕｋｕｓｈｉｍａ，Ｍ．Ｍａｔｓｕｍｏｔｏ，Ｇｒａｄｕａｌ  Ｄｅｃｒｅａｓｅ  ｏｆ  Ｅｌｅｃｔｒｉｃ  Ｒｅｓｉｓｔｉｖｉｔｙ  ｉｎ  Ｗａｔｅｒ  Ｔｒｉｇｇｅｒｅｄ  ｂｙ  Ｍｉｌｌｉｇａｕｓｓ  Ｌｏｗ  Ｆｒｅｑｕｅｎｃｙ  Ｐｕｌｓｅｄ  Ｍａｇｎｅｔｉｃ  Ｆｉｅｌｄ，Ｔｒａｎｓａｃｔｉｏｎｓ  ｏｆ  ｔｈｅ  Ｍａｇｎｅｔｉｃｓ  Ｓｏｃｉｅｔｙ  ｏｆ  Ｊａｐａｎ，ｖｏｌ．１，ｎｏ．１，ｐｐ．２２−２６，２００１）、そのメカニズムは、水分子クラスタ
2008061614.tif 000006
が、地磁気等の直流磁界
2008061614.tif 000007
中でサイクロトロン周波数
2008061614.tif 000008
で回転すること、特定のサイクロトロン周波数の微小交流磁界を外部から印加すると、同一寸法の水分子クラスタが回転して磁気モーメントによって次第に集合し（自己組織化）、それまで一個のクラスタ内に動的に拘束されていたプロトンが隣接クラスタへ移動できる長距離プロトントランスポートが実現されること（Ｋ．Ｍｏｈｒｉ，Ｍ．Ｆｕｋｕｓｈｉｍａ，Ｇｒａｄｕａｌ  Ｄｅｃｒｅａｓｉｎｇ  Ｃｈａｒａｃｔｅｒｉｓｔｉｃｓ  ａｎｄ  Ｔｈｅｒｍａｌ  Ｓｔａｂｉｌｉｔｙ  ｏｆ  Ｅｌｅｃｔｒｉｃ  Ｒｅｓｉｓｔｉｖｉｔｙ  ｉｎ  Ｗａｔｅｒ  Ｔｒｉｇｇｅｒｅｄ  ｗｉｔｈ  Ｍｉｌｌｉｇａｕｓｓ  Ｌｏｗ  Ｆｒｅｑｕｅｎｃｙ  ＡＣ  Ｆｉｅｌｄ，ＩＥＥＥ  Ｔｒａｎｓａｃｔｉｏｎｓ  ｏｎ  Ｍａｇｎｅｔｉｃｓ，ＩＥＥＥ  Ｔｒａｎｓａｃｔｉｏｎｓ  ｏｎ  Ｍａｇｎｅｔｉｃｓ，ｖｏｌ．３８，ｎｏ．５，ｐｐ．３３５３−３３５５，２００２，Ｋ．Ｍｏｈｒｉ，Ｍ．Ｆｕｋｕｓｈｉｍａ，Ｍｉｌｌｉｇａｕｓｓ  Ｍａｇｎｅｔｉｃ  Ｆｉｅｌｄ  Ｔｒｉｇｇｅｒｉｎｇ  Ｒｅｌｉａｂｌｅ  Ｓｅｌｆ−Ｏｒｇａｎｉｚａｔｉｏｎ  ｏｆ  Ｗａｔｅｒ  ｗｉｔｈ  Ｌｏｎｇ−Ｒａｎｇｅ  Ｏｒｄｅｒｅｄ  Ｐｒｏｔｏｎ  Ｔｒａｎｓｐｏｒｔ  Ｔｈｒｏｕｇｈ  Ｃｙｃｌｏｔｒｏｎ  Ｒｅｓｏｎａｎｃｅ，ＩＥＥＥ  Ｔｒａｎｓａｃｔｉｏｎｓ  ｏｎ  Ｍａｇｎｅｔｉｃｓ，ｖｏｌ．３９，ｎｏ．５，ｐｐ．３３２８−３３３０，２００３）によって、国際的に公表したことを基礎とする。
【００３９】
この水のサイクロトロン周波数の微小交流磁界による自己組織化によってプロトンが活性化され、生体が細胞レベルで活性化されることは、本発明者らによる「好中球の貪食能の増強効果による免疫能の増強効果」実験によって証明されている（Ｍ．Ｆｕｋｕｓｈｉｍａ，Ｔ．Ｋａｔａｏｋａ，Ｋ．Ｍｏｈｒｉ，Ｍ．Ｍａｔｓｕｍｏｔｏ，Ｍｉｌｌｉｇａｕｓｓ  ｐｕｌｓｅｄ  ｍａｇｎｅｔｉｃ  ｆｉｅｌｄ  ａｐｐｌｉｅｄ  ｐｈｏｓｐｈａｔｅ  ｂｕｆｆｅｒｅｄ  ｓａｌｉｎｅ  ｓｏｌｕｔｉｏｎ  ｅｌｅｖａｔｅｓ  ｉｎｔｒａｃｅｌｌｕｌａｒ  Ｃａ２＋ｌｅｖｅｌ  ａｎｄ  ｓｔｉｍｕｌａｔｅｓ  ｐｈａｇｏｃｙｔｉｃ  ａｃｔｉｖｉｔｙ  ｏｆ  ｈｕｍａｎ  ｎｅｕｔｒｏｐｈｉｌｓ，Ｔｒａｎｓａｃｔｉｏｎｓ  ｏｆ  ｔｈｅ  Ｍａｇｎｅｔｉｃｓ  Ｓｏｃｉｅｔｙ  ｏｆ  Ｊａｐａｎ，ｖｏｌ．２，ｎｏ．２，ｐｐ．１５−１８，２００２）。
【００４０】
以下、実施例によって、本発明の詳細な説明を行う。
【実施例１】
【００４１】
この実施例１は、「磁気プロトニクス原理」の中で、１）〜４）の理論構成（「磁気プロトニクス（低周波微小パルス磁界）」の発生装置）を利用して、生育が早く（早く、粒が大きい）、かつ良質（甘く、形状がよい）のイチゴ栽培を意図する。そして、図１〜図５は装置の好ましい一例を示しており、また図６〜図９は品質及び／又は成果の図表であり、図１０は植物細胞と「磁気プロトニクス原理」のプロトンとの関係を示している。
【００４２】
図１は通常のハウス１を示しており、このハウス１に高設ベンチ２栽培によるイチゴ３を示しており、このイチゴ３の上下に、高設ベンチ２（地上１ｍ高）の上部２００の６０ｃｍ，下部２０１の９０ｃｍの平面に幅１ｍ、長さ３．６ｍ巻き回数１００で、かつターンの長方形のコイル５（導電コイル）を設置、例えば、上部コイル５ａに８Ｈｚ，下部コイル５ｂに６Ｈｚの微小交流磁界を関数発信器７により発生させる。尚、上部コイル５ａと、下部コイル５ｂの間隔は調整可能である（他の実施例も同じ）。
【００４３】
そして、その設備と、供試体との一例を以下に説明し、図６〜図９に示した実施（実験）の実績との一例を説明する。
【００４４】
１）  給液方法：原液２液方式、希釈タンク方式、給液装置Ｘ社製
２）  １日当たりの給液回数：曇雨天給液カット装置により制限
３）  １回当たりの給液量：排液感知型給液ポンプ自動制御
４）  試験区の構成：磁界印加区（磁気区）及び対照区共に１区２０株３連６０株（８４×３６０平方センチメートル）
５）  耕種概要：定植  ８月２２日、株間１８ｃｍ，  培地  ヤシ殻繊維、９月２２日給液開始
１１月〜３月電照３時間、１０月１８日保温開始、１１月２日加温開始（夜間７℃）
６）  磁界印加方法：高設ベンチ２（地上１ｍ高）上部６０ｃｍ，下部９０ｃｍの平面に幅１ｍ、長さ３．６ｍ巻き回数１００ターンのコイル（長方形コイル）を設置、上部コイル５ａに８Ｈｚ，下部コイル５ｂに６Ｈｚの微小交流磁界を関数発信器７により発生させる。イチゴ３には約５０ｍＧの方形波磁界を印加する。
【００４５】
その結果は、次のようになった。
【００４６】
７）  株張り、草高、草丈、葉の大きさ、果梗長ともに、調査開始の１０月１１日〜１月３１日において磁気区が優っており、培養液給液後の生育を促進する傾向が見られた。
【００４７】
８）  １１月からの時期別収穫量では、磁気区では１月に収量が多く（１２０６ｋｇ／１０ａ）、１月までの累計で約３００ｋｇ／１０ａ（約１４％）多かった。３月までの累計（可販合計３３３７ｋｇ／１０ａ）では約７％増であった。３月までの平均果重は１６．３ｇ（対照区で１５．５ｇ）で５．２％増であった。
【００４８】
この結果から、磁気区では１月までの初期収量が優る傾向があると考えられる。一方、対照区では４月、５月に収穫量が増え、５月末では可販合計は差がないが、今後の実施を考察する。そして、その改善策は、早急に推敲できると考えられる。またさらに実施を試みるとともに、反省をする。
【００４９】
９）  ３月までの規格別収量は、磁気区が対照区に比べて大玉（３Ｌ〜Ｍ）果が多く（４４２ｋｇ増、２０％増）、大玉率は６５．５％（対照区で６２．４％）であった。
【００５０】
１０）  果実硬度は、磁気区で３月の調査で高く、硬い傾向にある。糖酸比は磁気区の１月で最高値１６．１を示した。アスコルビン酸（ビタミンＣ）は磁気区の３月に高い値（７１１ｐｐｍ）を示したが、対照区では４月に高い値（７４４ｐｐｍ）を示した。
【００５１】
実施の考察：
１１）  超低周波微小交流磁界でイチゴ細胞内の水分子クラスタをサイクロトロン共振で自己組織化・プロトン活性化させ（Ｋ．Ｍｏｈｒｉ，Ｍ．Ｆｕｋｕｓｈｉｍａ，ＩＥＥＥ  Ｔｒａｎｓ．  Ｍａｇｎ．，ｖｏｌ．３９，ｎｏ．５，ｐｐ．３３２８−３３３０，２００３．）、分子モータＡＴＰ  Ｓｙｎｔｈａｓｅ
2008061614.tif 000009
による細胞活性化、光合成活性化が生じていると考えられる。
【００５２】
尚、図１０はイチゴ３を含むみかん、メロン等の果物類、またスイカ、ウリ等の野菜類、又は稲、麦、とうもろこし等の穀物、シイタケ、シメジ等のキノコ類の農作物の植物細胞と「磁気プロトニクス原理」のプロトンとの関係を示したものであり、細胞の葉緑素が、光と炭酸ガスＣＯ２を吸収する過程で、「磁気プロトニクス原理」のプロトン効果と、クロロフィル酵素の働きで、糖・たんぱく質の合成・分解の活性化と、生物の細胞の活性化を図れることを説明する。
【実施例２】
【００５３】
この実施例２は、「磁気プロトニクス原理」の中で、１）〜４）の理論構成（「磁気プロトニクス（低周波微小パルス磁界）」の発生装置、関数発信器７）を利用して、生育が早く（早く、肉厚となる）、かつ良質（食物繊維やビタミンＤを多く含み甘味がある）のシイタケ栽培を意図する。そして、図１１は装置の好ましい一例を示しており、供試体を選定し、近時、実施にかかる予定である。その他は、前述の第１実施例に準ずる。
【００５４】
図示しない建屋、又は圃場１００にシイタケ８の原木１０を設置し、この原木１０には種菌が接種されている。この原木１０を数本立設する。そして、この周辺に、コイル５を設置、例えば、一方のコイル５ｃに８Ｈｚ，他方のコイル５ｄに６Ｈｚの微小交流磁界を関数発信器７により発生させる。そして、子実体に対する「磁気プロトニクス原理」が有益であることが理解でき、結果として、前述した成果が期待できる。例えば、カルシウム含有のあるシイタケを栽培できることも考えられる。
【００５５】
この実施に関する成果と反省に関しては、後述、参考資料として提出する。
【実施例３】
【００５６】
この実施例３は、「磁気プロトニクス原理」の中で、１）〜４）の理論構成（「磁気プロトニクス（低周波微小パルス磁界）」の発生装置）を利用して、生育が早く（早く、艶があり、また大きくなる）、かつ良質（さわやかで歯ごたえがあり、またみずみずしく、かつ形状がよい）のきゅうり栽培を意図する。そして、図１２は装置の好ましい一例を示しており、供試体を選定し、近時、実施にかかる予定である。その他は、前述の第１実施例に準ずる。
【００５７】
ハウス１、又は圃場１００にきゅうり１２を植栽し、図示では連続的に植栽する。このきゅうり１２の両側に、コイル５を設置、例えば、一方のコイル５ｃに８Ｈｚ，他方のコイル５ｄに６Ｈｚの微小交流磁界を関数発信器７により発生させる。そして、このきゅうり１２の栽培に使用される、例えば、図示しないパイプから細かい霧を噴射して、温度や湿度などの環境をコントロールし、きゅうり１２の生育を促す方法が採用されているが、この霧化した微粒子（水）に対しても、本発明の「磁気プロトニクス原理」のプロトン効果と、活性化が機能する。また、夏の気化熱による室温の低下にも、この本発明の「磁気プロトニクス原理」のプロトン効果と、活性化が寄与できる。従って、きゅうり１２の生育及び／又は収穫したきゅうり１２の品質等に好影響を与える。
【００５８】
この実施に関する成果と反省に関しては、後述、参考資料として提出する。
【００５９】
そして、このイチゴ３、またシイタケ８、きゅうり１２の栽培と、その効果等は、前述のみかん、メロン等の果物類、またスイカ、ウリ等の野菜類、又は稲、麦、とうもろこし等の穀物、シメジ等のキノコ類の農作物に準用できる。
【図面の簡単な説明】
【００６０】
【図１】図１はイチゴを栽培するハウスの要部の俯瞰図
【図２】図２は栽培中のイチゴを示した拡大模式図
【図３】図３は高設ベンチでの「磁気プロトニクス原理」に基づくイチゴの栽培を示した模式図
【図４】図４は図３の側面模式図
【図５】図５は高設ベンチでの「磁気プロトニクス原理」に基づくイチゴの栽培の他の例を示した側面模式図
【図６】図６は、「磁気プロトニクス原理」に基づくイチゴの栽培と、通常の栽培との時期別可販量を比較した図
【図７】図７は、「磁気プロトニクス原理」に基づくイチゴの栽培と、通常の栽培との果実調査を比較した図で、秀品率、大玉率、又は秀品大玉率とし、その定義が図示されている
【図８】図８は、「磁気プロトニクス原理」に基づくイチゴの栽培と、通常の栽培との果実調査を比較した図で、糖酸比を比較した
【図９】図９は、「磁気プロトニクス原理」に基づくイチゴの栽培と、通常の栽培との果実調査を比較した図で、アスコルビン酸比を比較した
【図１０】図１０は植物細胞と「磁気プロトニクス原理」のプロトンとの関係を示した図
【図１１】図１はシイタケを栽培するハウスの要部の俯瞰図
【図１２】図１２はきゅうりを栽培するハウスの要部の俯瞰図
【符号の説明】
【００６１】
１            ハウス
１００        圃場
２            高設ベンチ
２００        上部
２０１        下部
３            イチゴ
５            コイル
５ａ          上部コイル
５ｂ          下部コイル
５ｃ          一方のコイル
５ｄ          他方のコイル
７            関数発信器
８            シイタケ
１０          原木
１２          きゅうり
【図１】
2008061614.tif 000010
【図２】
2008061614.tif 000011
【図３】
2008061614.tif 000012
【図４】
2008061614.tif 000013
【図５】
2008061614.tif 000014
【図６】
2008061614.tif 000015
【図７】
2008061614.tif 000016
【図８】
2008061614.tif 000017
【図９】
2008061614.tif 000018
【図１０】
2008061614.tif 000019
【図１１】
2008061614.tif 000020
【図１２】
2008061614.tif 000021